(57)【要約】【課題】交換台内部に延びる保持ベルトを容易に調整すること。【解決手段】折り畳み自在おむつ交換台１０はベース１１と、ベース１１に対して回動軸１２を介して回動自在に設けられた交換台本体１３と、交換台本体１３上に配置されたマット１５とを有する。マット１５は交換台本体１３に設けられた一対の保持具２０ａ、２０ｂにより位置決めされる。一方の保持具２０ａはバックル受け２１を含み、他方の保持具２０ｂに保持ベルト２２が挿通され、保持ベルト２２の先端にバックル２３が取付けられている。保持ベルト２２は交換台本体１３の裏面に延び、交換台本体１３に保持ベルト２２を調整する窓１８が形成されている。【選択図】図２
2015023964.tif 000002
【特許請求の範囲】
【請求項１】
折り畳み自在おむつ交換台において、
回動軸を介して回動自在に設けられた交換台本体と、
交換台本体上に配置されたマットと、
交換台本体上に設けられ、マットを両側から位置決めする一対の保持具とを備え、
一方の保持具はバックル受けを含み、他方の保持具に保持ベルトが挿通され、当該他方の保持具に挿通された保持ベルトの先端に、バックル受けに嵌合されるバックルが取付けられ、保持ベルトは交換台本体の裏面において一対の保持具間に延び、
交換台本体のうち一対の保持具間の所望部分に、交換台本体を切取ってなる窓が形成され、この窓を介して保持ベルトの姿勢調整が可能となることを特徴とする折り畳み自在のおむつ交換台。
【請求項２】
一方の保持具は交換台本体に対して可動となっており、他方の保持具は交換台本体に対して固定されていることを特徴とする請求項１記載の折り畳み自在おむつ交換台。
【請求項３】
交換台本体上に、交換台本体に対して可動となる可動プレートが設けられ、一方の保持具は可動プレート上に固定されていることを特徴とする請求項２記載の折り畳み自在おむつ交換台。
【請求項４】
一方の保持具の裏面に保持ベルトを巻取るリトラクタが設けられ、
リトラクタから巻出された保持ベルトは交換台本体の裏面を通って他方の保持具へ達し、当該他方の保持具を挿通されていることを特徴とする請求項１乃至３のいずれか記載の折り畳み自在おむつ交換台。
【請求項５】
マットはその長手方向軸が回動軸に対して５〜３０°の傾斜角をもって配置されていることを特徴とする請求項１乃至４のいずれか記載の折り畳み自在おむつ交換台。
【請求項６】
マットの回動軸に対する傾斜角は可変となっていることを特徴とする請求項５記載の折り畳み自在おむつ交換台。
【発明の詳細な説明】
【技術分野】
【０００１】
本発明は折り畳み自在おむつ交換台に係り、とりわけ交換台内部に延びる保持ベルトを容易に調整することができる折り畳み自在おむつ交換台に関する。
【背景技術】
【０００２】
従来より折り畳み自在おむつ交換台として、壁面に沿って設けられたベースと、ベースに対して回動軸を介して回動自在に設けられた交換台本体と、交換台本体上に設置されたマットを備えたものが知られている。
【０００３】
このような折り畳み自在おむつ交換台はトイレ等の空間内に設置されている。
【０００４】
折り畳み自在おむつ交換台としては、交換台本体上のマットが壁面および回動軸に対して直交して配置された縦型折り畳み自在おむつ交換台と、交換台本体上のマットが壁面および回動軸に対して平行に配置された横型折り畳み自在おむつ交換台が使用されている。
【０００５】
このうち縦型折り畳み自在おむつ交換台は、マットが壁面に対して直交しているため、おむつ交換作業を容易に行なうことができるが、作業スペースを大きく取ってしまう。
【０００６】
他方、横型折り畳み自在おむつ交換台は、マットが壁面に対して平行になっているため、作業スペースを小さくすることができるものの、おむつ交換作業をする際、作業者が壁面に対して接近する必要があり、作業性が低下している。
【０００７】
また折り畳み自在おむつ交換台には、乳幼児用の保持ベルトが設けられているが、この保持ベルトが交換台本体の内部に延びている場合、交換台本体内の保持ベルトを調整する作業は容易ではない。
【発明の概要】
【発明が解決しようとする課題】
【０００８】
本発明は上記のような点を考慮してなされたものであり、保持ベルト、とりわけ交換台本体内部に延びる保持ベルトを容易に調整することができる折り畳み自在おむつ交換台を提供することを目的とする。
【課題を解決するための手段】
【０００９】
本発明は、折り畳み自在おむつ交換台において、回動軸を介して回動自在に設けられた交換台本体と、交換台本体上に配置されたマットと、交換台本体上に設けられ、マットを両側から位置決めする一対の保持具とを備え、一方の保持具はバックル受けを含み、他方の保持具に保持ベルトが挿通され、当該他方の保持具に挿通された保持ベルトの先端に、バックル受けに嵌合されるバックルが取付けられ、保持ベルトは交換台本体の裏面において一対の保持具間に延び、交換台本体のうち一対の保持具間の所望部分に、交換台本体を切取ってなる窓が形成され、この窓を介して保持ベルトの姿勢調整が可能となることを特徴とする折り畳み自在のおむつ交換台である。
【００１０】
本発明は、一方の保持具は交換台本体に対して可動となっており、他方の保持具は交換台本体に対して固定されていることを特徴とする折り畳み自在おむつ交換台である。
【００１１】
本発明は、交換台本体上に、交換台本体に対して可動となる可動プレートが設けられ、一方の保持具は可動プレート上に固定されていることを特徴とする折り畳み自在おむつ交換台である。
【００１２】
本発明は、一方の保持具の裏面に保持ベルトを巻取るリトラクタが設けられ、リトラクタから巻出された保持ベルトは交換台本体の裏面を通って他方の保持具へ達し、当該他方の保持具を挿通されていることを特徴とする折り畳み自在おむつ交換台である。
【００１３】
本発明は、マットはその長手方向軸が回動軸に対して５〜３０°の傾斜角をもって配置されていることを特徴とする折り畳み自在おむつ交換台である。
【００１４】
本発明は、マットの回動軸に対する傾斜角は可変となっていることを特徴とする折り畳み自在おむつ交換台である。
【発明の効果】
【００１５】
以上のように本発明によれば、乳幼児用の保持ベルト、とりわけ交換台内部に延びる保持ベルトを容易に調整することができる。
【図面の簡単な説明】
【００１６】
【図１】図１は本発明による折り畳み自在おむつ交換台にマットが取付けられた状態を示す図。
【図２】図２は本発明による折り畳み自在おむつ交換台にマットが取外された状態を示す図。
【図３】図３は本発明による折り畳み自在おむつ交換台からマットが取外された状態を示す図。
【図４】図４は本発明による折り畳み自在おむつ交換台にマットが取付けられた状態を示す図。
【図５】図５（ａ）〜（ｄ）は本発明による折り畳み自在おむつ交換台を示す斜視図であって、便宜的に保持ベルトを取外した状態を示す図。
【図６】図６は可動プレートの裏面に設けられたリトラクタを示す図。
【発明の実施の形態】
【００１７】
以下、図面を参照して本発明の実施の形態について説明する。
【００１８】
図１乃至図６は、本発明による折り畳み自在おむつ交換台の実施の形態を示す図である。
【００１９】
まず図５（ａ）〜（ｄ）により、折り畳み自在おむつ交換台１０の概略について述べる。図５（ａ）〜（ｄ）に示すように、折り畳み自在おむつ交換台１０は、例えばトイレ内部に設置されるものであり、トイレの壁面１０ａに沿って設けられたベース１１と、ベース１１上にベース１１の上部に設けられた回動軸１２を介して回動自在に設けられた交換台本体１３と、交換台本体１３上に取外し自在に設けられ、乳幼児を寝かせるマット１５とを備えている。
【００２０】
このうちベース１１は上述のようにトイレの壁面１０ａに沿って、トイレ床面上に立設されている。
【００２１】
さらにまた交換台本体１３はベース１１に対して回動軸１２を介して回動し、ベース１１と平行な位置と、ベース１１と直交する水平な位置とをとることができる。
【００２２】
さらにまたマット１５は乳幼児の頭部を受ける頭部側部分１５ａと、乳幼児の脚部を受ける脚部側部分１５ｂとを有する。
【００２３】
またマット１５の側縁には、頭部側部分１５ａと脚部側部分１５ｂとの間に凹部１５ｃが形成され、交換台本体１３上にはマット１５の両側縁に形成された凹部１５ｃ内に嵌込まれる一対の保持具２０ａ、２０ｂが設けられている。この保持具２０ａ、２０ｂはマット１５の凹部１５ｃ内に嵌込まれてマット１５の両側縁を位置決めでき、保持具２０ａ、２０ｂにより位置決められたマット１５は図示しない爪部および面ファスナからなる固定手段により交換台本体１３上に固定される。
【００２４】
ところで、図５（ａ）〜（ｄ）に示すように、マット１５は交換台本体１３上でその長手方向軸Ｌ０が、上方からみてベース１１の回動軸１２に対して傾斜して配置され、マット１５の傾斜角は５〜３０°、好ましくは１０°となっている。
【００２５】
またマット１５は交換台本体１３から容易に取外すことができ、かつマット１５の向きを頭部側部分１５ａを左側にもってきたり（図５（ａ））、頭部側部分１５ａを右側にもってきたりすることができる（図５（ｂ））。
【００２６】
いずれにしても、マット１５の向きを左側および右側のどちらに変えた場合でも、マット１５の長手方向軸Ｌ０は、ベース１１の回動軸１２に対して、上方からみて５〜３０°、好ましくは１０°の同一の傾斜角をもって傾斜している。
【００２７】
次に図１乃至図４により、折り畳み自在おむつ交換台１０の交換台本体１３について説明する。
【００２８】
上述のように、交換台本体１３上にマット１５を両側縁から位置決めする一対の保持具２０ａ、２０ｂが設けられている。このうち、一方の保持具２０ａは交換台本体１３上で可動となっており、他方の保持具２０ｂは交換台本体１３上に固定されている。
【００２９】
すなわち、交換台本体１３上には、扇形形状の可動プレート２５が、交換台本体１３に対して可動に設けられている。この場合、交換台本体１３には、可動プレート２５が移動できるよう可動空間１７が形成され、可動プレート２５は、交換台本体１３の可動空間１７内で移動可能となっている。
【００３０】
上述のように可動プレート２５は扇形形状を有し、可動空間１７は可動プレート２５と同様の扇形形状をもつ。この際、可動空間１７は可動プレート２５と同一の半径方向の幅を有し、かつ可動空間１７の円周方向長さＬ１は、可動プレート２５の円周方向より大きくなっている。
【００３１】
このため可動プレート２５は可動空間１７内で案内されて円周方向に移動可能となっている。
【００３２】
また一方の保持具２０ａは、可動プレート２５上に固定され、可動プレート２５を可動空間１７内で円周方向に移動させることにより、一方の保持具２０ａが交換台本体１３上で可動する。
【００３３】
さらにまた、一対の保持具２０ａ、２０ｂのうち、可動自在に設けられた一方の保持具２０ａはバックル受け２１を含む。また一方の保持具２０ａを保持する可動プレート２５の裏面には、保持ベルト２２が巻取られたリトラクタ２７が設けられており、このリトラクタ２７は可動プレート２５の裏面に設けられた収納空間２５ａ内に収納されている（図６参照）。そして可動プレート２５の収納空間２５ａ内に収納されたリトラクタ２７から保持ベルト２２が巻出されるようになっている。
【００３４】
上述のように一方の保持具２０ａを保持する可動プレート２５の裏面にリトラクタ２７が設けられ、このリトラクタ２７から巻出された保持ベルト２２は、交換台本体１３の裏面を通って他方の保持具２０ｂ側へ達する。保持ベルト２２は更に他方の保持具２０ｂの挿通口２９内を挿通して、交換台本体１３の表面側へ延びる。
【００３５】
他方の保持具２０ｂの挿通口２９を挿通して交換台本体１３の表面側へ延びる保持ベルト２２の先端２２ａには、一方の保持具２０ａに設けられたバックル受け２１に嵌合されるバックル２３が取付けられている。
【００３６】
この場合、保持ベルト２２の先端２２ａは、保持ベルト２２が２重に積ね合わされた２重構造部分となっており、この保持ベルト２２の先端２２ａはピン２４を介してバックル２３に連結されている。
【００３７】
そして保持ベルト２２をマット１５上に寝かされた乳幼児上へ延ばし、保持ベルト２２の先端２２ａに設けられたバックル２３をバックル受け２１に嵌合させることにより、マット１５上で乳幼児をしっかり保持することができる。
【００３８】
ところで、保持ベルト２２は交換台本体１３の裏面において一対の保持具２０ａ、２０ｂ間に延びているが、交換台本体１３のうち一対の保持具２０ａ、２０ｂ間の所望部分に交換台本体１３を切取ってなる窓１８が形成されている。そして交換台本体１３の窓１８を介して交換台本体１３の裏面に延びる保持ベルト２２を確認することができる。
【００３９】
例えば交換台本体１３の裏面に延びる保持ベルト２２がねじれていた場合は、上記窓１８を介して保持ベルト２２の姿勢を調整することができる。
【００４０】
次にこのような構成からなる本実施の形態の作用について説明する。
【００４１】
まず図５（ａ）に示すように、ベース１１に対して回動軸１２を介して交換台本体１３を回動させ、交換台本体１３を水平位置にもってくる。この場合、交換台本体１３上にマット１５が設けられ、マット１５は一対の保持具２０ａ、２０ｂにより交換台本体１３上に位置決めされ、図示しない固定手段により堅固に固定されている。
【００４２】
次にマット１５の頭部側部分１５ａ上に乳幼児の頭部がきて、かつ脚部側部分１５ｂ上に乳幼児の脚部がくるようマット１５上に乳幼児を寝かせる。次に、他方の保持具２０ｂから保持ベルト２２を引出し、保持ベルト２２を乳幼児上に延ばし、保持ベルト２２の先端２２ａに取付けられたバックル２３を一方の保持具２０ａのバックル受け２１に嵌合させてマット１５上に乳幼児を保持ベルト２２によりしっかりと保持する。
【００４３】
次にマット１５上に寝かされた乳幼児のおむつ交換作業を行なう。この場合、マット１５は交換台本体１３上でその長手方向軸Ｌ０が回動軸１２に対して５〜３０°、好ましくは１０°の傾斜角をもつよう傾斜して配置されているため、マット１５が回動軸１２に対して直交している場合（縦型折り畳み自在おむつ交換台）に比べて、作業スペースを小さくすることができる。他方、マット１５が回動軸１２に対して平行に配置している場合（横型折り畳み自在おむつ交換台）に比べて、多少でもマット１５が回動軸１２に対して傾斜しているため、おむつ交換作業を容易に行なうことができる。
【００４４】
図５（ａ）に示す折り畳み自在おむつ交換台１０において、マット１５の頭部側部分１５ａは左方向にあり、脚部側部分１５ｂは右方向にある。
【００４５】
このマット１５の向きを逆向きにする場合は、図５（ｂ）に示すようにまず交換台本体１３上からマット１５を取外す。
【００４６】
次に図５（ｃ）に示すように、交換台本体１３の可動空間１７内で可動プレート２５を摺動させ（可動させ）、このことにより可動プレート２５に固着された一方の保持具２０ａを可動させる。なお他方の保持具２０ｂは、交換台本体１３上に正面を向くよう固定されている（図２および図３参照）。
【００４７】
このようにして交換台本体１３上で一方の保持具２０ａを可動させた後、図５（ｄ）に示すように、交換台本体１３上にマット１５を再度取付ける。この場合、交換台本体１３上でマット１５は一対の保持具２０ａ、２０ｂにより位置決めされ、図示しない固定手段により堅固に固定される。
【００４８】
図５（ｄ）に示す折り畳み自在おむつ交換台１０において、マット１５の頭部側部分１５ａは右方向にあり脚部側部分１５ｂは左方向にあり、マット１５は図５（ａ）に示す場合と逆方向を向く。図５（ａ）に示す場合、および図５（ｄ）に示す場合のいずれもマット１５の長手方向軸Ｌ０は、ベース１１の回動軸１２に対して上方からみて同一の傾斜角をもって傾斜している。
【００４９】
ところで、折り畳み自在おむつ交換台１０を使用していると、交換台本体１３の裏面に延びる保持ベルト２２がねじれたりすることがある。この場合は、交換台本体１３からマット１５を取外す。このように交換台本体１３からマット１５を取外すことにより、交換台本体１３の窓１８を介して交換台本体１３の裏面に延びる保持ベルト２２の状態を確認することができる。窓１８から保持ベルト２２のねじれを発見した場合は、この窓１８を介して保持ベルト２２のねじれ、あるいは保持ベルト２２の姿勢を調整することができる。
【００５０】
例えば交換台本体１３に窓１８が形成されていない場合は、交換台本体１３を分解したり、あるいは交換台本体１３の裏面をみながら保持ベルト２２のねじれ調整をする必要がある。
【００５１】
これに対して本発明によれば、交換台本体１３上からマット１５を取外すだけで窓１８を介して保持ベルト２２のねじれ等を発見し、かつ窓１８を介して保持ベルト２２の調整を行なうことができるため、保持ベルト２２の保守点検が容易となる。
【００５２】
なお、上記実施の形態において、他方の保持具２０ｂが交換台本体１３上において正面を向くよう固定されている例を示したが、これに限らず交換台本体１３上において、一方の保持具２０の可動位置に合わせて他方の保持具２０ｂを一方の保持具２０側を向くよう回動させてもよい。
【符号の説明】
【００５３】
１０  折り畳み自在おむつ交換台
１１  ベース
１２  回動軸
１３  交換台本体
１５  マット
１７  可動空間
１８  窓
２０ａ、２０ｂ  一対の保持具
２１  バックル受け
２２  保持ベルト
２２ａ  先端
２３  バックル
２４  ピン
２５  可動プレート
２７  リトラクタ
【図１】
2015023964.tif 000003
【図２】
2015023964.tif 000004
【図３】
2015023964.tif 000005
【図４】
2015023964.tif 000006
【図５】
2015023964.tif 000007
【図６】
2015023964.tif 000008